(57)【要約】【課題】  装置の状態に応じて、適切なログ出力を行う。【解決手段】  所定の手順に従って外部装置と認証処理を行う。ログを出力する第１のログモードと、第１のログモードより詳細なログを出力する第２のログモードを少なくとも含むログモードの内、設定されたログモードに従って、認証処理による認証に関する情報である認証情報をログファイルとして、指定された保存先に保存する。外部装置から認証処理における認証処理開始要求の返信がない場合、または認証処理に成功した場合には、第１のログモードに設定し、認証処理に失敗した場合は、第２のログモードに設定する。【選択図】  図１
2014170422.tif 000002
【特許請求の範囲】
【請求項１】
ログを管理する情報処理装置であって、
所定の手順に従って外部装置と認証処理を行う認証処理手段と、
ログを出力する第１のログモードと、前記第１のログモードより詳細なログを出力する第２のログモードを少なくとも含むログモードの内、設定されたログモードに従って、前記認証処理による認証に関する情報である認証情報をログファイルとして、指定された保存先に保存するログファイル制御手段と、
前記外部装置から前記認証処理における認証処理開始要求の返信がない場合、または前記認証処理に成功した場合には、前記第１のログモードに設定し、前記認証処理に失敗した場合は、前記第２のログモードに設定するログモード制御手段と
を備えることを特徴とする情報処理装置。
【請求項２】
前記保存先として不揮発性メモリを備え、
前記ログファイル制御手段は、ログモードとして前記第２のログモードが設定されている場合は、前記不揮発性メモリに前記ログファイルを保存する
ことを特徴とする請求項１に記載の情報処理装置。
【請求項３】
前記ログモード制御手段は、前記第２のログモードが特定の時間経過すると、前記第１のログモードに設定する
ことを特徴とする請求項１に記載の情報処理装置。
【請求項４】
前記ログモード制御手段は、前記第２のログモードの状態で、前記認証処理手段による認証処理が特定の回数失敗した場合、前記第１のログモードに設定する
ことを特徴とする請求項１に記載の情報処理装置。
【請求項５】
前記認証処理手段の状態に応じて、外部へ情報を通知する通知部の動作を制御する通知制御手段を更に備える
ことを特徴とする請求項１に記載の情報処理装置。
【請求項６】
前記通知部は、発光部であり、
前記通知制御手段は、前記外部装置から前記認証処理における認証処理開始要求の返信がない場合、前記発光部を点灯、または消灯、または点滅する
ことを特徴とする請求項５に記載の情報処理装置。
【請求項７】
前記通知部は、音声出力部であり、
前記通知制御手段は、前記外部装置から前記認証処理における認証処理開始要求の返信がない場合、前記音声出力部から音声を出力する
ことを特徴とする請求項５に記載の情報処理装置。
【請求項８】
前記通知部は、メール処理部であり、
前記通知制御手段は、前記外部装置から前記認証処理における認証処理開始要求の返信がない場合、前記メール処理部からその旨を示すメールを送信する
ことを特徴とする請求項５に記載の情報処理装置。
【請求項９】
前記通知部は、イベント処理部であり、
前記通知制御手段は、前記外部装置から前記認証処理における認証処理開始要求の返信がない場合、前記イベント処理部からその旨を示すイベントを送信する
ことを特徴とする請求項５に記載の情報処理装置。
【請求項１０】
被写体を撮像して映像信号を生成する撮像手段と、
前記映像信号に所定の情報信号を重畳する重畳手段と、
前記重畳手段で前記所定の情報信号が重畳された映像信号をネットワークを介して送信する送信手段と、
前記外部装置から前記認証処理における認証処理開始要求の返信がない場合、映像通知設定に応じて、前記送信手段の動作を停止する、または前記認証処理が失敗した旨を示す情報を前記映像信号に重畳させるように前記重畳手段を制御する映像制御手段と
を更に備えることを特徴とする請求項１に記載の情報処理装置。
【請求項１１】
前記認証処理に電子証明書が必要な場合において、前記電子証明書の有効期限から所定期間内になった場合または前記有効期限を経過した場合、前記重畳手段は、その旨を示す情報信号を前記映像信号に重畳する
ことを特徴とする請求項１０に記載の情報処理装置。
【請求項１２】
ログを管理する情報処理装置の制御方法であって、
所定の手順に従って外部装置と認証処理を行う認証処理工程と、
ログを出力する第１のログモードと、前記第１のログモードより詳細なログを出力する第２のログモードを少なくとも含むログモードの内、設定されたログモードに従って、前記認証処理による認証に関する情報である認証情報をログファイルとして、指定された保存先に保存するログファイル制御工程と、
前記外部装置から前記認証処理における認証処理開始要求の返信がない場合、または前記認証処理に成功した場合には、前記第１のログモードに設定し、前記認証処理に失敗した場合は、前記第２のログモードに設定するログモード制御工程と
を備えることを特徴とする情報処理装置の制御方法。
【請求項１３】
ログを管理する情報処理装置の制御をコンピュータに機能させるためのプログラムであって、
前記コンピュータを、
所定の手順に従って外部装置と認証処理を行う認証処理手段と、
ログを出力する第１のログモードと、前記第１のログモードより詳細なログを出力する第２のログモードを少なくとも含むログモードの内、設定されたログモードに従って、前記認証処理による認証に関する情報である認証情報をログファイルとして、指定された保存先に保存するログファイル制御手段と、
前記外部装置から前記認証処理における認証処理開始要求の返信がない場合、または前記認証処理に成功した場合には、前記第１のログモードに設定し、前記認証処理に失敗した場合は、前記第２のログモードに設定するログモード制御手段と
して機能させることを特徴とするプログラム。
【発明の詳細な説明】
【技術分野】
【０００１】
本発明は、機器の認証機能に関し、特に、ＩＥＥＥ８０２．１Ｘ機能を搭載した機器の設定において、必要に応じてユーザに問題点を分かりやすく伝え、誤使用を未然に防ぐ技術に関するものである。
【背景技術】
【０００２】
従来、機器のエラーの検出方法として、詳細なエラー検出と簡易なエラー検出をその機器が扱うデータによって分ける方法がある。
【０００３】
特許文献１では、印刷装置において、印刷物の内容に応じてエラーの検出を詳細に行うか、簡易に行うか方法を変える方法が開示されている。例えば、印刷物がファクシミリデータであれば、問題が発生して印刷ができなかったにも関らずメモリからファクシミリデータを消去しないよう、事前にトナーの状態等について詳細なエラー検出を行う。そして、問題があれば、ファクシミリデータをメモリに保存してユーザへ通知する。また、ＰＣ（パーソナルコンピュータ）からの印刷の場合は、再度印刷が可能なため、トナーの状態等について簡易なエラー検出を行い、印刷にかかる時間を短くする。このように、印刷するデータによって詳細なエラー検出と簡易なエラー検出を使い分ける。
【先行技術文献】
【特許文献】
【０００４】
【特許文献１】特開２００９−０６５６１４号公報
【発明の概要】
【発明が解決しようとする課題】
【０００５】
しかしながら、特許文献１に開示された従来技術では、エラーを検出した場合、詳細なエラー検出であっても簡易なエラー検出であっても、あらかじめ決められたエラーを通知する。ＩＥＥＥ８０２．１Ｘのような認証技術の場合、ポートの認証の状態や認証処理の状態によっては、より詳細な情報が必要なものや不要なものがある。また、認証の状態に応じて、認証ができていなくてもネットワークに接続できる場合は、セキュリティに問題があるためユーザに通知することが望ましい。
【０００６】
本発明は上記の課題を解決するためになされたものであり、装置の状態に応じて、適切なログ出力を行うことができる情報処理技術を提供することを目的とする。
【課題を解決するための手段】
【０００７】
上記の目的を達成するための本発明による情報処理装置は以下の構成を備える。即ち、
ログを管理する情報処理装置であって、
所定の手順に従って外部装置と認証処理を行う認証処理手段と、
ログを出力する第１のログモードと、前記第１のログモードより詳細なログを出力する第２のログモードを少なくとも含むログモードの内、設定されたログモードに従って、前記認証処理による認証に関する情報である認証情報をログファイルとして、指定された保存先に保存するログファイル制御手段と、
前記外部装置から前記認証処理における認証処理開始要求の返信がない場合、または前記認証処理に成功した場合には、前記第１のログモードに設定し、前記認証処理に失敗した場合は、前記第２のログモードに設定するログモード制御手段と
を備える。
【発明の効果】
【０００８】
本発明によれば、装置の状態に応じて、適切なログ出力を行うことができる。
【図面の簡単な説明】
【０００９】
【図１】システムの構成を示すブロック図である。
【図２】ログモードの設定の詳細を示すフローチャートである。
【図３】映像通知と外部通知の詳細を示すフローチャートである。
【図４】重畳処理をした映像による映像通知の一例を示す図である。
【図５】ログ保存先の設定の詳細を示すフローチャートである。
【発明を実施するための形態】
【００１０】
以下、本発明の実施の形態について図面を用いて詳細に説明する。
【００１１】
図１は本発明の実施形態にかかわるネットワークカメラと、外部装置としてのスイッチを備えるシステムのブロック図である。
【００１２】
ネットワークカメラ１００は、認証装置及びログ管理装置としても機能する情報処理装置である。ネットワークカメラ１００において、撮像部１０１は、レンズとセンサを備えており、被写体を撮像して生成した映像を映像信号として出力する。重畳部１０２は、映像制御部１０３からの制御を受け、ユーザの設定で必要に応じてネットワークカメラ１００の設置場所や現在時刻等の所定の情報信号をＯＳＤ（Ｏｎ  Ｓｃｒｅｅｎ  Ｄｉｓｐｌａｙ）機能として、撮像部１０１で取得した映像信号の上に重畳する。
【００１３】
送信部１０４は、重畳部１０２を経た映像信号をエンコードし、ＩＰパケットに分割してネットワークに送信する。認証処理部１０５は、所定の手順（例えば、ＩＥＥＥ８０２．１ＸのＥＡＰ（Ｅｘｔｅｎｄｅｄ  Ａｕｔｈｅｎｔｉｃａｔｉｏｎ  Ｐｒｏｔｏｃｏｌ）に従って認証処理を行うサプリカントである。ＥＡＰに必要なＩｄｅｎｔｉｔｙや証明書はユーザが入力装置を介して予め設定し、認証処理部１０５が参照できるものとする。
【００１４】
認証処理部１０５は、スイッチ１０６に対して認証処理開始要求を送信することで、ＥＡＰの認証処理の開始を試行する。認証処理部１０５は、ソケット通信によって認証処理部１０５の状態（認証に関する情報（認証情報））の取得や制御が可能である。
【００１５】
取得できる状態は、ポートの状態として、ネットワークのポートがＩＥＥＥ８０２．１Ｘによる認証済（Ａｕｔｈｏｒｉｚｅｄ）／未認証（Ｕｎａｕｔｈｏｒｉｚｅｄ）がある。また、認証処理部１０５は、ＥＡＰの認証処理の進捗の状態として、ＥＡＰの認証処理の成功（ＳＵＣＣＥＳＳ）／失敗（ＦＡＩＬＵＲＥ）、スイッチ１０６から認証処理開始要求の返信がなく、認証処理が進んでいないアイドル（ＩＤＬＥ）の状態を取得できる。
【００１６】
また、認証処理部１０５は、制御可能な機能として、ログの出力内容を、複数種類のログモードから任意のログモードを設定することで変更できる。ログモードとしては、認証の開始と終了、成功と失敗をログとして出力する通常ログモード（第１のログモード）と、通常ログモードのログに加え、ＥＡＰによる認証処理の経過のログを詳細に出力する詳細ログモード（第２のログモード）とがある。そして、認証処理部１０５は、通常ログモードと詳細ログモードとを切り替える制御を実行する。
【００１７】
尚、ログモードの指定がない場合は、通常ログモードの状態である。さらに、認証処理部１０５は、ログファイルの保存先をファイルシステムの任意の場所に設定することが可能であり、設定がなければファイルシステム中でＲＡＭファイルシステムとしてマウントされた場所（ＲＡＭ１０９）へログを保存する。
【００１８】
また、特定の目的や用途に応じて、通常ログモードと詳細ログモード以外に、特定のログのみを出力するログモードを別途設定しても良い。また、詳細ログモードが特定の時間経過すると、通常ログモードに設定するようにしても良い。また、詳細ログモードの状態で、認証処理部１０５による認証処理が特定の回数失敗した場合、通常ログモードに設定するようにしても良い。
【００１９】
ログモード制御部１０７は、認証処理部１０５の状態を監視しながら、認証処理部１０５のログモードの設定を変更する。
【００２０】
ログファイル制御部１０８は、認証処理部１０５の状態を監視しながら、認証処理部１０５における認証情報を示すログからなるログファイルの保存先を、揮発性メモリとしてのＲＡＭ１０９、または不揮発性メモリとしてのＳＤカード１１０に設定する。ＳＤカード１１０は、ユーザが必要に応じて任意にネットワークカメラ１００のスロット（不図示）に差し込むことができ、ファイルシステムから参照できる場所へマウントされ、ログの記録に加えて映像の記録も可能である。
【００２１】
外部通知制御部１１１は、認証処理部１０５の状態を監視しつつ、必要に応じてネットワークカメラ１００の外部へ情報を通知する処理を行う。外部通知する通知部としては、発光部１１２、音声出力部１１３、Ｅメール処理部１１４及びイベント処理部１１５があり、外部通知制御部１１１は、これらの通知部の動作を制御する。
【００２２】
発光部１１２は、ネットワークカメラ１００の筺体に取りつけられていて、ＬＥＤ等で構成され、外部通知制御部１１１の制御によって、点灯／消灯／点滅等の動作を行う。音声出力部１１３は、ネットワークカメラ１００の筺体に取りつけられていて、外部通知制御部１１１の制御によって、所定の音（ブザー）を出力する。Ｅメール処理部１１４は、外部通知制御部１１１の制御によって、ユーザが予め設定したＥメールアドレスに対してメッセージを送信する。イベント処理部１１５は、外部通知制御部１１１の制御によって、ネットワークカメラ１００内で発生したイベントを予め設定されたプロトコルに従って送信する。
【００２３】
図２は、認証処理部１０５とログモード制御部１０７の動作を示すフローチャートである。ログモード制御部１０７は、ネットワークカメラ１００の起動時に認証処理部１０５と共に処理を開始する。
【００２４】
ログモード制御部１０７は、認証処理部１０５から、認証情報として、ソケット通信を用いてポートの状態とＥＡＰの状態を取得する（ステップＳ２１）。次に、ログモード制御部１０７は、ポートの状態を参照する（ステップＳ２２）。参照の結果、ポートの状態がＡｕｔｈｏｒｉｚｅｄ（認証済）である場合、ログモード制御部１０７は、認証処理部１０５のログモードを通常ログモードに設定する（ステップＳ２４）。通常ログモードは、認証の開始と終了、認証の成功と失敗等の最小限のログを出力するため、通常の運用時でＩＥＥＥ８０２．１Ｘの設定が正しくできており、認証に成功するケースでは最小限のログだけが記録される。
【００２５】
一方、ポートの状態がＵｎａｕｔｈｏｒｉｚｅｄ（未認証）である場合、ログモード制御部１０７は、ＥＡＰの状態（ＥＡＰの認証処理の状態）を参照する（ステップＳ２３）。ＥＡＰの状態がアイドル（ＩＤＬＥ）である場合、ログモード制御部１０７は、認証処理部１０５のログモードを通常ログモードに設定する（ステップＳ２４）。これは、ＥＡＰの認証処理が進んでいないため、詳細なログを出しても有用な情報を得ることはできないためである。
【００２６】
一方、ＥＡＰの状態が失敗（ＦＡＩＬＵＲＥ）である場合、ログモード制御部１０７は、詳細ログモードに設定する（ステップＳ２５）。これは、ＥＡＰの認証処理において、ユーザが設定したＩｄｅｎｔｉｔｙや電子証明書、スイッチ１０６、Ｒａｄｉｕｓサーバ（不図示）の設定に問題があるためである。詳細ログモードに設定することで、ＥＡＰの認証処理でどこに問題があるかを、ユーザが把握しやすくなる。
【００２７】
このように、認証処理部１０５で認証処理を開始して一度目の認証処理は通常ログモードで実行される。一方で、ＥＡＰの状態（ステップＳ２３）でＦＡＩＬＵＲＥ（失敗）となって詳細ログモードに設定（ステップＳ２５）した後の２回目の認証処理は詳細ログモードで実行される。
【００２８】
図３は認証処理部１０５の状態を取得した結果に応じて、映像制御部１０３と外部通知制御部１１１が行う動作を示すフローチャートである。
【００２９】
図２の説明と同様に、ログモード制御部１０７は、認証情報を取得し（ステップＳ２１）、ポートの状態（ステップＳ２２）とＥＡＰの状態（ステップＳ２３）を参照する。ポートの状態（ステップＳ２２）がＵｎａｕｔｈｏｒｉｚｅｄ（未認証）で、ＥＡＰの状態（ステップＳ２３）がＩＤＬＥの状態の場合、映像制御部１０３は、映像通知設定を参照する（ステップＳ３１）。
【００３０】
この状態は、認証処理部１０５でのＥＡＰによる認証処理において、スイッチ１０６に送信した認証処理開始要求の返答がない状態である。つまり、ネットワークカメラ１００にはＩＥＥＥ８０２．１Ｘの設定をしているが、スイッチ１０６でポートの設定を正しくできておらず、ポートの認証はＵｎａｕｔｈｏｒｉｚｅｄの状態ではあるが通信は可能である。この状態では、同一のポートに他の機器を接続すればスイッチ１０６を通して認証されていない他の機器がネットワークに参加可能であり、セキュリティに問題がある。そのため、ネットワークカメラ１００にはＩＥＥＥ８０２．１Ｘの設定をしてあるが、スイッチ１０６を含めて設定に不備があることを通知することが望ましい。しかし、スイッチ１０６に接続した他の機器から、ネットワークカメラ１００への通信が成功した時点で設定が正しくできたと誤って判断する可能性があり、またはスイッチ１０６や認証処理部１０５の認証の状態までは確認しない恐れがある。
【００３１】
そこで、映像通知設定がＯＳＤである場合、映像制御部１０３は、ポートが未認証であることをＯＳＤを用いて通知する（ステップＳ３２）。つまり、映像制御部１０３は、認証処理が失敗した旨を示す情報を映像信号に重畳させるように重畳部１０２を制御する。これにより、ネットワークカメラ１００で最低限確認されることが期待される映像を使用して、ＩＥＥＥ８０２．１Ｘの設定に問題があることをユーザに通知する。
【００３２】
また、映像通知設定が送信停止である場合は、映像制御部１０３は、送信部１０４による映像の送信を停止する（ステップＳ３３）。これにより、セキュリティに問題がある状態でネットワークカメラ１００を使用した運用をできないようにする。
【００３３】
また、映像通知設定が無効である場合、映像制御部１０３は、セキュリティに問題のある可能性はあるが、映像による通知は行わない。
【００３４】
次に、外部通知制御部１１１は、外部通知設定を参照する（ステップＳ３４）。これは映像以外の方法で、ＩＥＥＥ８０２．１Ｘの設定が正しくできていないことを通知する処理を行うためである。
【００３５】
外部通知設定が有効である場合、外部通知制御部１１１は、ユーザの設定に応じ、発光部１１２を制御して点滅、または音声出力部１１３を制御してブザーを鳴らす（ステップＳ３５）。または、外部通知制御部１１１は、ポートは未認証ではあるが通信は可能なので、Ｅメール処理部１１４を制御して予め設定されたユーザのＥメールアドレスにメールを送信、またはイベント処理部１１５を制御してイベントの送信を行うことも可能である。
【００３６】
一方、外部通知設定が無効である場合、外部通知制御部１１１は、そのまま処理を終了する。
【００３７】
尚、図２ではＥＡＰの状態がＩＤＬＥの場合は、認証処理が進んでおらず有用なログが得られないため、認証処理部１０５のログモードは詳細ログモードではなく、通常ログモードに設定している（ステップＳ２４）。この場合でも、通常ログモードのログに加え、スイッチ１０６の設定に問題がある可能性があることと、ポートの状態がＵｎａｕｔｈｏｒｉｚｅｄであり、セキュリティに問題があることを別途にログに残しても良い。
【００３８】
図４は、図３のステップＳ３２において、Ｕｎａｕｔｈｏｒｉｚｅｄ（未認証）の状態をＯＳＤで通知する方法の一例を示す図である。映像信号４１は重畳部１０２で重畳された後の映像信号を示している。通常は、ネットワークカメラ１００の設置場所と時刻を示すＯＳＤ情報４２が映像信号４１に重畳されている。但し、ポートが未認証の状態であるが通信は可能である、セキュリティに問題がある状態では、ユーザにその旨を通知するためのメッセージ４３を映像信号４１に重畳する。
【００３９】
尚、認証処理部１０５でのＥＡＰによる認証処理に電子証明書が必要な場合、その電子証明書の有効期限が切れると認証に失敗し、スイッチ１０６への接続ができなくなる可能性がある。そのため、電子証明書の有効期限が近くなった場合（例えば、有効期限から所定期間内になった場合）、重畳部１０２はその旨を示すメッセージを映像信号４１に重畳しても良い。また、有効期限を経過した場合であっても、通信が可能であれば、その旨（有効期限が切れた旨）を示すメッセージを映像信号４１に重畳しても良い。
【００４０】
図５はユーザがＳＤカード１１０をネットワークカメラ１００に差し込んだ場合を考慮し、図２のログモードの設定処理に加え、ログファイル制御部１０８において、ログファイルの保存先を決定する処理を加えたフローチャートである。
【００４１】
最初に、ログモード制御部１０７は、認証情報を取得する（ステップＳ２１）。ログモード制御部１０７は、取得した認証情報に従って、ポートの状態を判定する（ステップＳ２２）。ポートの状態がＡｕｔｈｏｒｉｚｅｄである場合、ログファイル制御部１０８は、ログの出力先をＲＡＭ１０９に設定する（ステップＳ５４）。そして、ログモード制御部１０７は、認証処理部１０５のログモードを通常ログモードに設定する（ステップＳ２４）。
【００４２】
一方、ポートの状態がＵｎａｕｔｈｏｒｉｚｅｄである場合、ログモード制御部１０７は、ＥＡＰの状態を参照する（ステップＳ２３）。ＥＡＰの状態がＩＤＬＥである場合、ステップＳ５４に進む。
【００４３】
一方、ＥＡＰの状態が失敗（ＦＡＩＬＵＲＥ）である場合、ログファイル制御部１０８は、ＳＤカード１１０がマウント済みであるか否かを判定する（ステップＳ５１）。マウント済みである場合（ステップＳ５１でＹＥＳ）、ログファイル制御部１０８は、ログ出力先をＳＤカード１１０に設定する（ステップＳ５３）。一方、ＳＤカード１１０がマウント済みでない場合（ステップＳ５１でＮＯ）、ログファイル制御部１０８は、ログ出力先をＲＡＭ１０９に設定する（ステップＳ５２）。その後、ログモード制御部１０７は、詳細ログモードに設定する（ステップＳ２５）。
【００４４】
ネットワークカメラ１００は、一般的には、ディスプレイのような出力装置はなく、ネットワークで接続しているので、ＩＥＥＥ８０２．１Ｘの認証に失敗していても、そのログを確認することはできない。そのため、ステップＳ２３でＥＡＰの状態がＦＡＩＬＵＲＥであり、ＳＤカード１１０がマウント済みである場合（ステップＳ５１でＹＥＳ）、ログファイル制御部１０８は、不揮発性メモリであるＳＤカード１１０にログを保存する。こうすることで、ユーザは、ネットワークカメラ１００からＳＤカード１１０を取り出して、ＳＤカード１１０に保存されたログを参照することでＥＡＰの認証失敗の原因を確認できることができる。
【００４５】
また、ＳＤカード１１０がマウント済みでない場合（ステップＳ５１でＮＯ）で、ログの出力先がＲＡＭ１０９であっても（ステップＳ５２）、スイッチ１０６のポートを設定変更してＩＥＥＥ８０２．１Ｘの設定を無効にすれば、ネットワークを経由してＲＡＭ１０９上のログを確認することができる。このようにして、ＳＤカード１１０の有無によらずＥＡＰの認証の失敗の原因を、詳細なログで確認することができる。
【００４６】
また、ポートの状態（ステップＳ２２）がＡｕｔｈｏｒｉｚｅｄである場合、ログの出力先はＲＡＭ１０９に設定され（ステップＳ５４）、ログは通常ログモード（ステップＳ５２）で記録される。つまり、ＩＥＥＥ８０２．１Ｘの設定を正しく行った後のネットワークカメラ１００を用いた通常の運用時のログは最小限であり、しかも揮発性メモリであるＲＡＭ１０９より、一般的に書き込み回数によって寿命のある不揮発性メモリであるＳＤカード１１０をログの出力先に使用することはない。
【００４７】
また、ＥＡＰの状態（ステップＳ２３）がＩＤＬＥである場合、通信は可能であり、ＳＤカード１１０に書き込まなくてもネットワークを通してログを確認することができるため、ログの出力先はＲＡＭ１０９になる（ステップＳ５４）。
【００４８】
ネットワークカメラ１００のトラブルを記録しておきたい場合は、ポートの状態とＥＡＰの状態によってログの出力先を分けなくても、ＳＤカード１１０がマウント済みであれば、ログモードが通常ログモードあるいは詳細ログモードにかかわらずＳＤカード１１０にログを出力しても良い。
【００４９】
以上説明したように、本実施形態によれば、ポートの状態と認証の状態、エラーの種別に応じてユーザに有用なログを詳細に出力するか、簡易なログを出力するかを切り替えられる。
【００５０】
より具体的には、ＩＥＥＥ８０２．１Ｘを用いる際に、ポートの状態とＥＡＰの状態を参照してログモードの設定を変更することで、通常の運用時は最小限のログを出力し、問題のある場合は詳細なログを出力する。これにより、ユーザに対して問題の原因が分かりやすいネットワークカメラを提供することができる。また、ユーザの不注意でネットワークカメラにＩＥＥＥ８０２．１Ｘを設定したにもかかわらず、未認証の状態で通信できる場合であっても、ＯＳＤや映像の送信を停止することで未認証の状態であることユーザに知らせることで、セキュリティを高めることができる。
【００５１】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2014170422.tif 000003
【図２】
2014170422.tif 000004
【図３】
2014170422.tif 000005
【図４】
2014170422.tif 000006
【図５】
2014170422.tif 000007